【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
スイス型インサートであって、
対向するインサート第１および第２側面と、
前記インサート第１および第２側面を接続する対向するインサート上面および下面と、
前記インサート上面および下面と前記インサート第１および第２側面とを接続する対向するインサート前面および後面と、
前記第１および第２側面と前記インサート上面および前面とが交わる部分に形成された第１コーナと、
前記第１および第２側面と前記インサート上面および後面とが交わる部分に形成された第２コーナと、
前記第１および第２側面と前記インサート下面および前面とが交わる部分に形成された第３コーナと、
前記第１および第２側面と前記インサート下面および後面とが交わる部分に形成された第４コーナと、
前記インサート第１および第２側面に開口するねじ穴と、
前記インサート第１および第２側面に垂直に延在して前記インサート第１および第２側面を貫通延在するインサート厚さ軸線（ＡＴ）と、
前記インサート厚さ軸線に垂直に延在して前記インサート上面および下面を貫通延在するインサート高さ軸線（ＡＨ）と、
前記インサート厚さおよび高さ軸線に対して直角に延在して前記インサート前面および後面を貫通延在するインサート長手軸線（ＡＬ）と、
前記インサート長手軸線（ＡＬ）と前記インサート高さ軸線（ＡＨ）とによって規定された長手平面（ＰＬ）と、
前記インサート厚さ軸線（ＡＴ）と前記インサート長手軸線（ＡＬ）とによって規定された厚さ平面（ΡＴ）と、
前記インサート高さ軸線（ＡＨ）と前記インサート厚さ軸線（ＡＴ）とによって規定された高さ平面（ＰＨ）と、
前記インサート厚さ軸線に沿って測定可能な最大インサート厚と、
前記インサート高さ軸線に沿って測定可能な、前記最大インサート厚より大きい最大インサート高さと、
前記インサート長手軸線に沿って測定可能な、前記最大インサート高さより大きい最大インサート長と、
を備え、
前記インサート高さ軸線（ＡＨ）は、前記インサートの中心から前記インサート上面に向かう上方向（ＤＵ）を規定し、更には前記上方向とは逆の下方向（ＤＤ）を規定し、
前記インサート厚さ軸線（ＡＴ）は、前記インサートの前記中心から前記インサート第１側面に向かう第１横方向（ＤＳ１）を規定し、更には前記第１横方向とは逆の第２横方向（ＤＳ２）を規定し、
前記インサート長手軸線（ＡＬ）は、前記インサートの前記中心から前記インサート前面に向かう前方向（ＤＦ）を規定し、更には前記前方向とは逆の後方向（ＤＲ）を規定し、
前記第１コーナは、
切刃と、
前記上面に形成されたチップフォーマ構成と、
を備え、
前記切刃は、
前記上面と前記第１側面とが交わる部分に沿って延在する第１副刃であって、前記第２横方向（ＤＳ２）に沿った図において直線をたどる第１副刃と、
前記上面と前記第２側面とが交わる部分に沿って延在する第２副刃であって、前記第１横方向（ＤＳ１）に沿った図において直線をたどる第２副刃と、
前記上面と前記前面とが交わる部分に沿って延在する第３副刃と、
前記第１副刃と前記第３副刃とを接続する第１コーナ刃と、
前記第２副刃と前記第３副刃とを接続する第２コーナ刃と、
を備え、
前記チップフォーマ構成は、
前記第１副刃に隣接する第１チップ表面であって、前記第３副刃から第１チップ後縁まで延在し、これにより第１切り込み深さ（ＬＣ１）を画成する第１チップ表面と、
前記第２副刃に隣接する第２チップ表面であって、前記第３副刃から第２チップ後縁まで延在し、これにより第２切り込み深さ（ＬＣ２）を画成する第２チップ表面と、
前記チップフォーマ構成の総切り込み深さ（ＬＧＣ）であって、（ｉ）前記第１および第２切り込み深さ（ＬＣ１、ＬＣ２）の小さい方として画成される、または（ｉｉ）、前記第１および第２切り込み深さが等しい場合は、前記第１および第２切り込み深さ（ＬＣ１、ＬＣ２）の両方の深さとして画成される、総切り込み深さ（ＬＧＣ）と、
前記第１および第２チップ表面に接続されたリッジであって、前記第３副刃に近接するリッジ前端と、前記第３副刃からの位置が前記リッジ前端より離れているリッジ後端とを備え、前記リッジと前記第１および第２チップ表面とが接続される前記上面の位置から前記上方向に立ち上がるリッジと、
を備え、
前記切刃に隣接する前記インサートの第１および第２側面および前面は逃げ面として構成され、前記逃げ面は、
前記第１側面に下方向と第２横方向とが組み合わされた方向にテーパが付けられ、
前記第２側面に下方向と第１横方向とが組み合わされた方向にテーパが付けられ、
前記前面に下方向と後方向とが組み合わされた方向にテーパが付けられる、
ことによって構成される、
インサート。
【請求項２】
前記下方向に沿った前記第１切削部の図において、前記第１および第２コーナ刃の一方または両方は、前記第３副刃に接続されて前記第１および第２副刃の近い方に対して直角に延びる直線状に延在するワイパ部を備え、前記第３副刃は各ワイパ部に対して内側に凹む、請求項１に記載のインサート。
【請求項３】
前記第１および第２コーナ刃の各々は、前記ワイパ部と凸状部とを備え、前記凸状部は、その第１端において前記第１および第２副刃の近い方に接続され、第２端において前記ワイパ部に接続される、請求項２に記載のインサート。
【請求項４】
前記下方向に沿った前記第１切削部の図において、前記第１および第２チップ表面の一方または両方がテーパ形状を有する、請求項１〜３のいずれか一項に記載のインサート。
【請求項５】
各テーパ形状は、前記第３副刃に隣接する部分の方が前記第３副刃からより離れている別の位置より幅広である、請求項４に記載のインサート。
【請求項６】
前記第１および第２チップ表面の一方または両方が平面形状を有する、請求項１〜５のいずれか一項に記載のインサート。
【請求項７】
前記第１および第２チップ表面の一方または両方が前記厚さ平面（ΡＴ）と側角αを形成し、前記側角αは条件−１５°＜α＜１５°を満たす、請求項１〜６のいずれか一項に記載のインサート。
【請求項８】
前記切刃全体は１５０ミクロン未満の高さを有する切刃平面に収まる、請求項１〜７のいずれか一項に記載のインサート。
【請求項９】
前記インサートは、前記厚さ軸線（ＡＴ）に平行に前記インサートの前記中心を貫通延在する軸線を中心に１８０°の角度においてのみ回転対称である、請求項１〜８のいずれか一項に記載のインサート。
【請求項１０】
前記リッジは、前記リッジを前記チップ表面に接続する第１および第２凹状側部を備え、前記第１凹状側部は前記第１横方向（ＤＳ１）に開き、前記第２凹状側部は前記第２横方向（ＤＳ２）に開く、請求項１〜９のいずれか一項に記載のインサート。
【請求項１１】
前記リッジ前端は、前記前方向（ＤＦ）に開く凹状前部を備える、請求項１〜１０のいずれか一項に記載のインサート。
【請求項１２】
前記チップフォーマ構成は、前記上方向（ＤＵ）に前記第１および第２副刃の上方１００ミクロン以下の高さの中間平坦域を前記リッジ前端と前記第３副刃との間に備える、請求項１〜１１のいずれか一項に記載のインサート。
【請求項１３】
前記中間平坦域は平面形状を有する、請求項１２に記載のインサート。
【請求項１４】
前記後方向（ＤＲ）に沿った図において、前記第１および第２側方副刃より上方の高さにおける前記リッジの幅（ＬＲ）は、前記厚さ軸線（ＡＴ）に沿って測定された前記第１および第２側方副刃の間の総厚（ＬＩ）の半分未満である、請求項１〜１３のいずれか一項に記載のインサート。
【請求項１５】
前記リッジは、前記インサート長手軸線（ＡＬ）に平行な方向に細長い、請求項１〜１４のいずれか一項に記載のインサート。
【請求項１６】
前記インサート長手軸線（ＡＬ）に沿って測定可能な、前記第３副刃と前記リッジ前端との間の前方離間長（ＬＦＳ）は、前記総切り込み深さ（ＬＧＣ）の少なくとも５％である、請求項１〜１５のいずれか一項に記載のインサート。
【請求項１７】
前記前方離間長（ＬＦＳ）は、前記総切り込み深さの１０％±５％として規定される、請求項１６に記載のインサート。
【請求項１８】
前記第１および第２インサート横方向（ＤＳ１、ＤＳ２）の各々に沿った図において、前記リッジは凸状の基本形状を有し、前記リッジ前端は前方向と下方向とが組み合わされた方向にテーパが付けられ、前記リッジ後端は後方向と下方向とが組み合わされた方向にテーパが付けられる、請求項１〜１７のいずれか一項に記載のインサート。
【請求項１９】
後縁平面（ＰＲＥ）が前記高さ平面（ＰＨ）に平行であり、前記総切り込み深さ（ＬＧＣ）だけ前記第３副刃から離れており、前記リッジ後端に後方向と下方向とが組み合わされた方向にテーパが付けられ始める位置と前記後縁平面（ＰＲＥ）との間の後方離間長（ＬＲＳ）が前記総切り込み深さ（ＬＧＣ）の少なくとも５％である、請求項１８に記載のインサート。
【請求項２０】
前記後方離間長（ＬＲＳ）は前記総切り込み深さ（ＬＧＣ）の１５％±１０％として規定される、請求項１９に記載のインサート。
【手続補正２】
【補正対象書類名】明細書
【補正対象項目名】００１６
【補正方法】変更
【補正の内容】
【００１６】
本願の主題の第５態様によると、スイス型インサートが提供される。このスイス型インサートは、対向するインサート第１および第２側面と、インサート第１および第２側面を接続する対向するインサート上面および下面と、インサート上面および下面とインサート第１および第２側面を接続する対向するインサート前面および後面と、第１および第２側面とインサート上面および前面とが交わる部分に形成された第１コーナと、第１および第２側面とインサート上面および後面とが交わる部分に形成された第２コーナと、第１および第２側面とインサート下面および前面とが交わる部分に形成された第３コーナと、第１および第２側面とインサート下面および後面とが交わる部分に形成された第４コーナと、インサート第１および第２側面に開口するねじ穴と、インサート第１および第２側面に垂直に延びてインサート第１および第２側面を貫通延在するインサート厚さ軸線と、インサート厚さ軸線に垂直に延びてインサート上面および下面を貫通延在するインサート高さ軸線と、インサート厚さおよび高さ軸線に直角に延びてインサート前面および後面を貫通延在するインサート長手軸線と、インサート厚さ軸線に沿って測定可能な最大インサート厚と、インサート高さ軸線に沿って測定可能な、最大インサート厚より大きい最大インサート高さと、インサート長手軸線に沿って測定可能な、最大インサート高さより大きい最大インサート長とを備える。インサート高さ軸線は、インサートの中心からインサート上面に向かう上方向を規定し、更には上方向とは逆の下方向を規定する。インサート厚さ軸線は、インサートの中心からインサート第１側面に向かう第１横方向を規定し、更には第１横方向とは逆の第２横方向を規定する。インサート長手軸線は、インサートの中心からインサート前面に向かう前方向を規定し、更には前方向とは逆の後方向を規定する。第１コーナは、切刃と、上面に形成されたチップフォーマ構成とを備える。この切刃は、上面と第１側面とが交わる部分に沿って延在する第１副刃であって、第２横方向に沿った図において直線をたどる第１副刃と、上面と第２側面とが交わる部分に沿って延在する第２副刃であって、第１横方向に沿った図において直線をたどる第２副刃と、上面と前面とが交わる部分に沿って延在する第３副刃と、第１副刃を第３副刃に接続する第１コーナ刃と、第２副刃を第３副刃に接続する第２コーナ刃とを備える。このチップフォーマ構成は、第１副刃に隣接する第１チップ表面であって、第３副刃から第１チップ後縁まで延在し、これにより第１切り込み深さを画定する第１チップ表面と、第２副刃に隣接する第２チップ表面であって、第３副刃から第２チップ後縁まで延在し、これにより第２切り込み深さを画定する第２チップ表面と、（ｉ）第１および第２切り込み深さの小さい方として、または（ｉｉ）、第１および第２切り込み深さが等しい場合は、第１および第２切り込み深さの両方の深さとして、規定されるチップフォーマ構成の総切り込み深さと、第１および第２チップ表面に接続されたリッジとを備える。リッジは、第３副刃に近接するリッジ前端と、第３副刃からの位置がリッジ前端より離れているリッジ後端とを備える。リッジは、リッジと第１および第２チップ表面とが接続される上面位置から上方向に立ち上がる。切刃に隣接するインサートの第１および第２側面および前面は、逃げ面として構成される。これら逃げ面は、第１側面に下方向と第２横方向とが組み合わされた方向にテーパが付けられ、第２側面に下方向と第１横方向とが組み合わされた方向にテーパ付けられ、前面に下方向と後方向とが組み合わされた方向にテーパが付けられることによって構成される。
【手続補正３】
【補正対象書類名】明細書
【補正対象項目名】００４２
【補正方法】変更
【補正の内容】
【００４２】
第１および第２不連続点３５Ａ、３５Ｂの間に、第３副刃３４Ｃが内方に（すなわち、図３Ｅに示されている図では、後方向ＤＲに向かって）延在する。特に、第３副刃３４Ｃは、その全体が、第１および第２ワイパ部３４Ｄ１、３４Ｅ１がそこに沿って存在する前縁平面ＰＦＥの後方に位置し得る。
【手続補正４】
【補正対象書類名】明細書
【補正対象項目名】００５９
【補正方法】変更
【補正の内容】
【００５９】
リッジ前端３６Ａは、凹状前部３６Ａ１と、前方第１平坦部３６Ａ２と、凹状前部３６Ａ１と前方第１平坦部３６Ａ２とを接続する前方第２平坦部３６Ａ３とを備え得る。